(57)【要約】【課題】  出力予定の画像データをそのままの色あいで背景印刷済みの用紙に出力することのできる画像処理装置を提供する。【解決手段】  コントロールパネル１１１上で背景情報入力モードを選択し、スキャナ部１０７を用いて背景印刷済み出力用紙の背景情報を入力する。背景情報処理部１０９は、読み込まれた背景印刷済みの出力用紙の背景データをＲＡＭ１０３に記憶する。また、出力予定の画像データを読み込み、画像メモリ１０５上に展開する。背景データと、画像データと、インク色補正データと、色補正済み画像データ作成し、該色補正済み画像データを画像メモリ１０５上に展開する。この色補正済み画像データに基づいて画像の印刷出力を行う。【選択図】  図５
2006203708.tif 000002
【特許請求の範囲】
【請求項１】
背景印刷済み用紙の背景情報を記憶する第１の記憶手段と、
出力予定の画像データを記憶する第２の記憶手段と、
インク色の補正情報である色補正情報を記憶する不揮発性記憶手段と、
白色インクを含む複数のインクを用いて画像の出力を行う画像出力手段と、
前記第１の記憶手段に記憶される前記背景情報と、前記第２の記憶手段に記憶される前記画像データと、前記色補正情報と、から色補正画像データを作成して前記第２の記憶手段に記憶させるデータ作成手段と、を有し、
前記画像出力手段は、前記色補正画像データに基づいて画像の出力を行うことを特徴とする画像処理装置。
【請求項２】
前記複数のインクの前記白色インクは、前記背景印刷済み用紙上に白色を表現するために用いられることを特徴とする請求項１記載の画像処理装置。
【請求項３】
前記画像処理装置は、カラー表示部を有し、
前記色補正画像データを前記カラー表示部に表示することを特徴とする請求項１または２に記載の画像処理装置。
【請求項４】
前記画像処理装置は、カラーディスプレイを有する外部端末と接続されており、
前記色補正画像データを前記外部端末の前記カラーディスプレイに表示することを特徴とする請求項１から３のいずれか１項に記載の画像処理装置。
【請求項５】
前記画像処理装置は、さらに、画像を読み取る読み取り手段を有し、
前記読み取り手段により前記背景印刷済み用紙を読み取ることで前記背景情報を取得することを特徴とする請求項１から４のいずれか１項に記載の画像処理装置。
【請求項６】
前記画像処理装置は、さらに、管理タグを読み取る管理タグ読み取り手段を有し、
前記背景印刷済み用紙に備えられた用紙管理タグを前記管理タグ読み取り手段により読み取ることで前記背景情報を取得することを特徴とする請求項１から５のいずれか１項に記載の画像処理装置。
【請求項７】
前記画像処理装置は、ネットワークを介してサーバ端末と接続されており、
前記背景印刷済み用紙に備えられた前記用紙管理タグから読み取られた識別番号に基づいて、前記サーバから前記背景情報を取得することを特徴とする請求項１から６のいずれか１項に記載の画像処理装置。
【請求項８】
前記インクを保持するインクカートリッジは、インク管理タグを有し、
前記画像処理装置は、
前記インクカートリッジあるいは前記背景印刷済み用紙の交換時毎に、前記用紙管理タグ及び前記インク管理タグから前記インク及び前記背景印刷済み用紙の識別番号を取得し、
前記取得した前記識別番号に基づいて、前記インク及び前記背景印刷済み用紙の組み合わせに適合する前記色補正情報を前記サーバから取得し、
前記取得した前記色補正情報を前記不揮発性記憶手段に記憶することを特徴とする請求項７記載の画像処理装置。
【請求項９】
前記管理タグは、ＩＣタグであり、
前記管理タグ読み取り手段は、ＲＦＩＤリーダであることを特徴とする請求項６から８のいずれか１項に記載の画像処理装置。
【発明の詳細な説明】
【技術分野】
【０００１】
本発明は、画像処理装置に関するものであり、特に、背景付き用紙への印刷を行うインクジェット画像処理装置に関する。
【背景技術】
【０００２】
プリンタ等の画像出力装置においては、通常、白色の用紙上に画像出力を行う。それゆえ、出力された用紙のベースとなる部分（非印刷部分）の色は、当然白色となる。また、白色用紙上に画像の出力を行うことを前提としてインクの塗布制御がなされる。
【０００３】
このような画像処理装置において、近年では、印刷物の判別性の向上、主張性の向上等の観点から、用紙のベースを白色以外の色にする、あるいは、背景画像を入れて画像を印刷する、等のベース色を変更した画像出力の要請が高まってきている。
【０００４】
このような要請に応えることのできる画像処理装置に関する技術としては、以下のものが提案されている。
【０００５】
特許文献１では、白色の用紙上に所望の背景色を印刷しながら画像の出力を行う画像形成装置が提案されている。具体的には、背景色や印字すべき画像情報の印字色を選択する選択手段と、前記選択された背景色上に前記選択された印字色に変換された画像情報を合成する合成手段と、を有し、前記合成手段で合成された画像データを印刷する技術が提案されている。
【０００６】
また、特許文献２では、背景印刷済みの用紙上に文書印刷を行う文書処理装置が提案されている。具体的には、背景印刷済み用紙の背景を読み取る読み取り手段と、前記背景の色に対し印字する文書の文字色を選択設定する設定手段と、を有し、前記設定手段より設定された文字色に従って前記背景印刷済み用紙上に印字を行う技術が提案されている。
【特許文献１】特開２００１−０１６４７２号公報
【特許文献２】特開平１０−１７３９４９号公報
【発明の開示】
【発明が解決しようとする課題】
【０００７】
しかし、上記の技術は、以下の問題点を有している。
【０００８】
特許文献１記載の技術では、背景画像を印刷する必要があるため、インク、トナー等の現像剤を大量に消費してしまうことになる。また、全面印刷を行う必要があるため画像の出力に際して長い時間を消費してしまう。また、特にインクジェット方式の画像処理装置の場合には、出力される用紙全面にインクを塗布することになるので、用紙が水分を多く含んでしまい変形してしまう。
【０００９】
そのため、特許文献２記載の技術のような背景印刷済みの用紙に印刷出力を行う方法のほうが好ましいが、通常の印刷制御においては白色の用紙上に印刷を行った場合に本来予定する画像が得られるように印刷設定がなされており、この印刷設定で有色用紙上に画像を出力した場合には出力される画像の色合いが異なってしまい、ユーザの意図する画像が得られない。この点について特許文献２記載の技術は何ら解決策を提示していない。また、ＣＭＹＫからなる現像剤の組み合わせでは白色を表現できないので、白色用紙上で白色を表現する場合は用紙の地色を用いることでこれを表現していたが、有色の用紙においてはこの方法を利用することができず、白色の表現を行うことができない。この点についても特許文献２記載の技術は何ら解決策を提示していない。
【００１０】
本発明は、上記の問題点に鑑みてなされたものであり、背景印刷済みの用紙に画像の出力を行う画像処理装置であって、出力予定の画像データをそのままの色あいで背景印刷済みの用紙に出力することのできる画像処理装置を提供することを目的とする。
【課題を解決するための手段】
【００１１】
請求項１記載の発明は、背景印刷済み用紙の背景情報を記憶する第１の記憶手段と、出力予定の画像データを記憶する第２の記憶手段と、インク色の補正情報である色補正情報を記憶する不揮発性記憶手段と、白色インクを含む複数のインクを用いて画像の出力を行う画像出力手段と、前記第１の記憶手段に記憶される前記背景情報と、前記第２の記憶手段に記憶される前記画像データと、前記色補正情報と、から色補正画像データを作成して前記第２の記憶手段に記憶させるデータ作成手段と、を有し、前記画像出力手段は、前記色補正画像データに基づいて画像の出力を行うことを特徴とする画像処理装置である。
【００１２】
請求項２記載の発明は、請求項１記載の発明において、前記複数のインクの前記白色インクは、前記背景印刷済み用紙上に白色を表現するために用いられることを特徴とする。
【００１３】
請求項３記載の発明は、請求項１または２に記載の発明において、前記画像処理装置は、カラー表示部を有し、前記色補正画像データを前記カラー表示部に表示することを特徴とする。
【００１４】
請求項４記載の発明は、請求項１から３のいずれか１項に記載の発明において、前記画像処理装置は、カラーディスプレイを有する外部端末と接続されており、前記色補正画像データを前記外部端末の前記カラーディスプレイに表示することを特徴とする。
【００１５】
請求項５記載の発明は、請求項１から４のいずれか１項に記載の発明において、前記画像処理装置は、さらに、画像を読み取る読み取り手段を有し、前記読み取り手段により前記背景印刷済み用紙を読み取ることで前記背景情報を取得することを特徴とする。
【００１６】
請求項６記載の発明は、請求項１から５のいずれか１項に記載の発明において、前記画像処理装置は、さらに、管理タグを読み取る管理タグ読み取り手段を有し、前記背景印刷済み用紙に備えられた用紙管理タグを前記管理タグ読み取り手段により読み取ることで前記背景情報を取得することを特徴とする。
【００１７】
請求項７記載の発明は、請求項１から６のいずれか１項に記載の発明において、前記画像処理装置は、ネットワークを介してサーバ端末と接続されており、前記背景印刷済み用紙に備えられた前記用紙管理タグから読み取られた識別番号に基づいて、前記サーバから前記背景情報を取得することを特徴とする。
【００１８】
請求項８記載の発明は、請求項７記載の発明において、前記インクを保持するインクカートリッジは、インク管理タグを有し、前記画像処理装置は、前記インクカートリッジあるいは前記背景印刷済み用紙の交換時毎に、前記用紙管理タグ及び前記インク管理タグから前記インク及び前記背景印刷済み用紙の識別番号を取得し、前記取得した前記識別番号に基づいて、前記インク及び前記背景印刷済み用紙の組み合わせに適合する前記色補正情報を前記サーバから取得し、前記取得した前記色補正情報を前記不揮発性記憶手段に記憶することを特徴とする。
【００１９】
請求項９記載の発明は、請求項６から８のいずれか１項に記載の発明において、前記管理タグは、ＩＣタグであり、前記管理タグ読み取り手段は、ＲＦＩＤリーダであることを特徴とする。
【発明の効果】
【００２０】
本発明により、予め画像処理装置に記憶されているインク色補正情報と、背景印刷済みの用紙の背景データと、出力予定の画像の画像データと、を用いて、色補正画像データを作成し、該色補正画像データに基づいて画像の出力を行うので、背景印刷済みの用紙上に出力予定の画像データをそのままの色合いで出力することが可能となる。また、背景印刷済みの用紙上に白色表現を行うことが可能となる。
【発明を実施するための最良の形態】
【００２１】
まず、図１、図２を参照して、本実施形態のインクジェット方式画像処理装置の構成を説明する。図１は、インクジェット方式画像処理装置の印字装置の概略斜視図を示し、図２は、同インクジェット方式画像処理装置の側面断面図を示す。
【００２２】
画像処理装置１は、画像処理装置１の主走査方向に移動可能なキャリッジ１３と、キャリッジ１３に設けられたインクジェットヘッドである記録ヘッド１４と、記録ヘッド１４へのインクの供給を行うサブタンク１２と、サブタンク１２へインクを供給するメインタンクであるインクカートリッジ１５と、で構成される印字装置２を有する。
【００２３】
キャリッジ１３は、主走査方向にスライド可能な構成となるように、主ガイドロッド１１に嵌め込まれている。また、キャリッジ１３は、主走査モータ１７で回転駆動する駆動プーリ１８と従動プーリ１９上に張られたタイミングベルト２０に固定されている。このように構成されることで、キャリッジ１３の主走査方向への移動走査が主走査モータ１７により制御されている。
【００２４】
また、キャリッジ１３は、シアン（Ｃ）、マゼンタ（Ｍ）、イエロ（Ｙ）、ブラック（Ｋ）の各色のインク滴を噴射するインクジェットヘッドからなる記録ヘッド１４を、下方を噴射方向にして装着している。このインク滴が出力用紙３上に噴射されることで画像が形成される。
【００２５】
また、キャリッジ１３の上側には、記録ヘッド１４に各色のインクを供給する各色毎のサブタンク１２が設けられている。各サブタンク１２とインクカートリッジ（メインタンク）１５とはインク供給チューブ１６を介して接続されており、これによりインクカートリッジ１５からインクが供給される。
【００２６】
なお、記録ヘッド１４として用いるインクジェットヘッドの方式としては、圧電素子等の電気機械変換素子を利用してインク流路の一部を圧迫することで噴射口からインクを噴射するピエゾ型方式や、発熱抵抗体による膜沸騰でバブル生じさせインクを加圧することでインクを噴射するバブル型方式、等があるが、本実施形態の画像処理装置では、いずれの方式にも対応しうる。
【００２７】
また、画像処理装置１は、給紙口として、出力用紙３を積載し給紙を行う給紙カセット４と、出力用紙３を手差しで給紙するための手差しトレイ５と、を有する。また、出力用紙３を印字装置２に搬送するために、給紙ローラ２１と、フリクションパッド２２と、ガイド部材２３と、搬送ローラ２４と、搬送コロ２５と、先端コロ２６と、静電搬送ベルト２９と、帯電チャージャ３０と、を有する。
【００２８】
給紙ローラ２１及びフリクションパッド２２は、給紙カセット４から用紙３を分離給装する。ガイド部材２３は、出力用紙３の搬送のガイドを行う。搬送ローラ２４は、静電搬送ベルト２９のベルト駆動を行う。なお、この搬送ローラ２４は、副走査モータ２７によって回転駆動される。搬送コロ２５及び先端コロ２６は、出力用紙３の送り出し角度を規定する。
【００２９】
帯電チャージャ３０は、静電搬送ベルト２９の帯電を行う。静電搬送ベルト２９は、出力用紙３を印字装置２の記録ヘッド１４の下方側へ搬送する。この際、帯電チャージャ３０により帯電されることで、搬送されてきた出力用紙３を吸着し、用紙面とヘッド面とを並行に保つ役割を担っている。
【００３０】
静電搬送ベルト２９の用紙搬送方向下流側には、出力用紙３を排紙トレイ６に送り出す排紙コロ３３が設けられており、印字装置２において画像の形成された出力用紙３は、排紙コロ３３により排紙トレイ６上に排紙される。
【００３１】
また、キャリッジ１３の移動方向右端側には、記録ヘッド１４の信頼性の維持、回復を行うサブシステム（信頼性維持／回復機構）３７が設けられている。画像処理装置１の印刷待機中には、キャリッジ１３はサブシステム３７側に移動され、キャッピング手段等により記録ヘッド１４はキャッピングされる。
【００３２】
図３は、画像処理装置１の印刷動作停止時において、キャリッジ１３に搭載された記録ヘッド１４がキャッピングされている状態を示す。キャリッジ１３には、２つの記録ヘッド１４ａ、１４ｂが装着されており、記録ヘッド１４ａ、１４ｂには、それぞれ２本のノズル列４４ａ〜ｄが設けられている。この各ノズル列４４ａ〜ｄからインクが噴射される。
【００３３】
また、キャリッジ１３の側面には、用紙検出センサ４７が設けられている。用紙検出センサ４７は、発光素子と受光素子を有し、これらを利用して出力用紙３の有無を検出する。
【００３４】
印刷動作停止時には、キャリッジ１３の記録ヘッド１４ａはキャップ４１で、記録ヘッド１４ｂは吸引兼用キャップ４２で覆われる。これにより、記録ヘッド１４ａ、１４ｂのヘッド面を保湿し、ノズル列４４ａ〜ｄにおいてインクの目詰まりの発生を抑制している。
【００３５】
図４は、画像処理装置１の印刷動作時において、キャリッジ１３が主走査正方向に移動した状態を示す。この状態において、記録ヘッド１４ａ、１４ｂの各ノズル列４４ａ〜ｄから噴射されたインクが静電搬送ベルト２９上の出力用紙３に付着し、画像が形成される。この印刷動作時には、キャップ４１及び吸引兼用キャップ４２は、印刷動作停止時のキャップの位置より低い位置に移動するので、キャリッジ１３は主走査方向に駆動が可能となる。
【００３６】
次に、図５を参照して、本実施形態の画像処理装置の内部構成について説明する。画像処理装置１は、ＣＰＵ（Central Processing Unit）１０１と、ＲＯＭ（Read Only Memory）１０２と、ＲＡＭ（Random Access Memory）１０３と、ＮＶＲＡＭ（Nonvolatile RAM）１０４と、画像メモリ１０５と、プリンタ／プロッタ部１０６と、スキャナ部１０７と、操作部１０８と、背景情報処理部１０９と、外部通信Ｉ／Ｆ１１０と、から構成される。
【００３７】
ＣＰＵ１０１は中央演算装置であり、装置全体の制御、プログラムの実行などを行う。ＲＯＭ１０２は読み出し専用メモリであり、画像処理装置を実行させるプログラム等を格納する。ＲＡＭ１０３は読み書き可能メモリであり、各種データの保存を行う。ＮＶＲＡＭ１０４は不揮発性メモリであり、画像処理装置１の機器情報を保持する。画像メモリ１０５は、画像出力時に画像データが展開される記憶領域である。プリンタ／プロッタ部１０６は、画像処理装置１に入力された画像情報、画像データの印刷出力を行う。スキャナ部１０７は、原稿の読み取りを行う。操作部１０８は、画像処理装置１の外部からの操作入力の受け付けを行う。この操作部１０８はコントロールパネル１１１等の入力装置と接続されている。背景情報処理部１０９は、背景や画像の印刷された出力用紙上に画像を形成する際の情報処理を行う。外部通信Ｉ／Ｆ１１０は、画像処理装置１の外部装置との接続を行うインターフェースであり、画像データの入出力や補助、制御データなどの入出力がなされる。
【００３８】
次に、本実施形態の画像処理装置における背景印刷済み出力用紙上への印刷制御について説明する。なお、以下の説明において、「背景印刷済み出力用紙」とは、背景や画像の印刷がなされている出力用紙のことである。
【００３９】
通常の印刷制御においては、出力用紙が白色の用紙であることを前提としており、白色の用紙上に印刷を行った場合に本来予定する画像が得られるように設定されている。そのため、用紙白色時の印刷制御を背景印刷済みの出力用紙のような有色の用紙に対して行った場合には意図する画像が得られないことがある。例えば、黄色の図形を出力する場合に、白色の出力用紙上では黄色の図形が形成されるが、青色の出力用紙上にこれを出力すると、緑がかった図形が形成されてしまう。これでは、背景印刷済みの出力用紙上に印刷を行う際の印刷物の仕上がり具合が所望のものと異なってしまう。
【００４０】
そこで、本実施形態の画像処理装置においては、背景情報処理部１０９により、背景印刷済み出力用紙に画像を形成する際の情報処理及び画像出力の際の色補正を行い、上記の不都合を回避する。以下、具体的に説明する。
【００４１】
背景印刷済み出力用紙上に印刷を行う際には、まず、背景印刷済み出力用紙の読み込みを行う必要がある。そこで、コントロールパネル１１１上で背景情報入力モードを選択し、スキャナ部１０７を用いて背景印刷済み出力用紙の背景情報を入力する。背景情報処理部１０９は、読み込まれた背景印刷済みの出力用紙の背景データを、図６に示すような細かいセル単位に分割し、背景データの色情報をセル単位毎にＲＡＭ１０３に記憶させる。
【００４２】
画像を出力する際には、まず、背景印刷済み出力用紙を給紙カセット４あるいは手差しトレイ５にセットする。また、出力予定の画像データを読み込み、背景印刷済み出力用紙のセル単位分割と同レベルのセル単位で分割し、画像メモリ１０５上に展開する。
【００４３】
次に、ＲＡＭ１０３上の背景データの色情報と、画像メモリ１０５上の出力予定の画像データとから、どのようなインク色／インク割合でインクを噴射すれば出力予定の画像データと同色の画像を背景印刷済み出力用紙上に展開できるのかをインク色補正データに基づいてセル単位毎に判断し、色補正済み画像データ作成する。そして、該色補正済み画像データを画像メモリ１０５上に展開する。この色補正済み画像データに基づいて画像の印刷出力を行う。
【００４４】
具体的には、背景データのＡ−１セルがＸ色、画像データのＡ−１セルがＹ色で、背景印刷済み出力用紙上にＹ色を形成したい場合には、Ｘ色上にＹ色を展開しうるＺ色を色補正済み画像データのＡ−１セルに設定する。この色補正処理を全セルに対して行うことで色補正済み画像データが構成される。このＸ色上にＺ色のインクを噴射するとＹ色が形成されるといったインク色補正データは、ＮＶＲＡＭ１０４に保存されている。
【００４５】
このように構成、制御することにより、背景印刷済み出力用紙を用いた際の印刷物において、印刷物の仕上がり具合を、出力を所望する画像データに近づけることが可能となる。
【００４６】
なお、インクジェット方式による画像出力では、通常、Ｃ、Ｍ、Ｙ、Ｋのインク色を組み合わせて用いることで様々な色の表現を行う減法混色法を利用しているが、この減法混色法において白色を表現することは、その性質上不可能となっている。白色の出力用紙において白色を表現する際には、インクを噴射せずに用紙の地色を用いることで白色の表現を行っているが、背景印刷済みの出力用紙では用紙の地色が白色でないことがあるため、白色を表現することが困難である。
【００４７】
そこで、Ｃ、Ｍ、Ｙ、Ｋのインクの他に、ホワイト（Ｗ）のインクを噴射できるように構成されることが好ましい。具体的には、ホワイトインク用の記録ヘッド１４と、サブタンク１２と、インクカートリッジ１５と、を設け、ホワイトインクを出力用紙３上に噴射できるように構成する。
【００４８】
このように構成することにより、背景印刷済み出力用紙上にも白色を展開することが可能となるので、背景印刷済み出力用紙を用いた際の印刷物の仕上がり具合を、出力を所望する画像データにすることが可能となる。
【００４９】
また、背景印刷済み出力用紙に画像を形成する際に、その画像出力の結果を「印刷プレビュー」として、画像処理装置１上のカラーディスプレイ、または、画像処理装置に接続される外部装置のカラーディスプレイに表示できるようにしてもよい。このように構成することにより、実際に印刷を行わずとも印刷物の仕上がり具合を知ることが可能となる。また、ユーザが意図する画像を得るまでに行われるテスト印刷を行わずに済むので、インク及び出力用紙の無駄使いを抑制することが可能となる。
【００５０】
次に、第２の実施形態について、図７を参照して説明する。本実施形態の画像処理装置は、第１の実施形態の画像処理装置において、ＲＦＩＤリーダ１２１をさらに設けている構成となっている。
【００５１】
ＲＦＩＤとは、Radio Frequency Identification のことで、ＩＣタグと呼ばれる媒体に記憶された個別情報を無線通信によって読み書きを行う自動認識システムのことである。
【００５２】
本実施形態の画像処理装置では、このＲＦＩＤを利用して、背景印刷済み出力用紙の背景データの入力を行う。具体的には、背景印刷済み出力用紙のセット時毎に背景印刷済み用紙の用紙束に取り付けられたＩＣタグ１２２をＲＦＩＤリーダ１２１により読み取らせることで、背景印刷済み出力用紙の背景データを入力する。
【００５３】
上記のように制御することにより、背景印刷済み出力用紙の背景データを取り込むために背景印刷済み出力用紙をスキャニングする必要がなくなるため、ユーザの手間が省ける。また、背景データの入力が、スキャニングによるアナログ的な入力ではなく、電気データによるデジタル的な入力になるので、背景印刷済み出力用紙の背景データをより正確に入力することができる。
【００５４】
なお、上記実施形態においては、印刷された背景の種類によっては背景データの情報量がＩＣタグ１２２には収まりきらない容量になることがある。そこで、図８に示すように、ネットワーク１３０を介して画像処理装置１とメーカ（開発会社）のサーバ１３１とを接続させ、背景印刷済み出力用紙セット時毎にＲＦＩＤリーダ１２１によりＩＣタグ１２２から用紙のシリアル番号を取得し、該シリアル番号に基づいてサーバ１３１から背景データを取得できるようにしてもよい。このように制御することにより、大容量の背景データをデジタル的に取得することが可能となる。
【００５５】
次に、第３の実施形態について、図９を参照して説明する。本実施形態の画像処理装置は、第２の画像処理装置において、メインタンクであるインクカートリッジ１５にＩＣタグ１２３を備えさせ、かつ、ネットワーク１３０を介して画像処理装置１とメーカ（開発会社）のサーバ１３１とが接続された構成となっている。
【００５６】
本実施形態の画像処理装置１のＣＰＵ１０１は、インクカートリッジ１２の交換時毎に、インクカートリッジ１５に備えられたＩＣタグ１２３をＲＦＩＤリーダ１２１で読み取り、インク（インクカートリッジ）の商品データを取得し、これをＮＶＲＡＭ１０４に保存する。また、背景印刷済み出力用紙がセットされる毎に、背景印刷済み出力用紙のＩＣタグから背景印刷済み出力用紙のシリアル番号を取得し、これをＮＶＲＡＭ１０４に保存する。このようにして、インク、背景印刷済み出力用紙の交換時毎にその材質情報をＮＶＲＡＭ１０４に保存する。
【００５７】
そして、インクカートリッジ１５の交換時または背景印刷済み出力用紙のセット時毎に、インクの商品データ及び出力用紙のシリアル番号をサーバ１３１に送信する。サーバ１３１は、インクの商品データ及び出力用紙のシリアル番号に基づいて最適なインク色補正データ選択し、これを送信する。画像処理装置１のＣＰＵ１０１は送られてきたインク色補正データに基づいて、ＮＶＲＡＭ１０４に記憶されているインク色補正データを更新する。
【００５８】
このように制御することにより、技術の進歩に伴ってインクや紙の材質が変化したとしても、この材質変化に対応した最適なインク色補正データを印刷動作毎に取得することができるので、ユーザの所望する画質で画像を出力することが可能となる。
【００５９】
なお、上記の３つの実施形態の画像処理装置は、背景印刷済み出力用紙だけでなく、再生紙に対しても応用することが可能である。
【図面の簡単な説明】
【００６０】
【図１】インクジェット方式画像処理装置の印字装置の概略斜視図を示す図である。
【図２】インクジェット方式画像処理装置の側面断面図を示す図である。
【図３】キャリッジに搭載された記録ヘッドがキャッピングされている状態を示す図である。
【図４】キャリッジが主走査正方向に移動した状態を示す図である。
【図５】本実施形態の画像処理装置の内部構成を示す図である。
【図６】背景データをセル単位に分割したものを示す図である。
【図７】ＲＦＩＤリーダを備えた画像処理装置を示す図である。
【図８】背景データをサーバから取得する画像処理装置を説明するための図である。
【図９】インク色補正データの自動更新を行う画像処理装置を説明するための図である。
【符号の説明】
【００６１】
１    画像処理装置
２    印字装置
１３    キャリッジ
１４    記録ヘッド（ａ,ｂ）
１５    インクカートリッジ
１０１    ＣＰＵ
１０３    ＲＡＭ
１０４    ＮＶＲＡＭ
１０９    背景情報処理部
１２１    ＲＦＩＤリーダ
１２２    ＩＣタグ
１３１    サーバ
【図１】
2006203708.tif 000003
【図２】
2006203708.tif 000004
【図３】
2006203708.tif 000005
【図４】
2006203708.tif 000006
【図５】
2006203708.tif 000007
【図６】
2006203708.tif 000008
【図７】
2006203708.tif 000009
【図８】
2006203708.tif 000010
【図９】
2006203708.tif 000011